(57)【要約】【課題】  開口部を紐で引き寄せて閉じることができ、側壁には吊下げ時の負荷が掛からず、袋体の開口部の開口状態を保持し易い袋を提供する。【解決手段】  一方の側壁３の上部を跨いだ紐２の一方の架け域１１が一方の滑穴１から入って一方の内域１２を成し、一方の内域１２から一方の寄り穴６を通り出て外域１３を成し、他方の寄り穴６から入って他方の内域１２を成し、他方の内域１２から他方の滑穴１を出て他方の架け域１１を成し、他方の架け域１１で紐２の両端を繋いで輪の状態にし、外域１３の引き上げで側壁３は屈折して袋体４の開口部５は閉じ、対面で有する寄り壁７と下辺へ延設された底壁８へ硬板９を設け、硬板９を板バネにすることで、袋体４の開口部５の開口状態を保持する。【選択図】  図１
2009208803.tif 000002
【特許請求の範囲】
【請求項１】
滑穴１を通り出た紐２が側壁３へ架かり、滑穴１に通された紐２によって側壁３が屈折して、袋体４の開口部５が閉じ、紐３を掴み易くし、開口部５の開口状態を保持し易くした事を特徴とした側壁架け閉じ袋。
【請求項２】
紐２を掴み易くする構造として、滑穴１の隣に寄り穴６を設け、内に位置する紐２を袋体４の外へ出した事を特徴とした請求項１記載の側壁架け閉じ袋。
【請求項３】
開口部５の開口状態を保持し易くする構造として、寄り壁７と底壁８との位置へ硬板９を設け、硬板９が板バネの役割を果たす事を特徴とした請求項１記載の側壁架け閉じ袋。
【発明の詳細な説明】
【技術分野】
【０００１】
本発明は、紐の引き寄せによって側壁を屈折させ、袋体の開口部を閉じる事のできる、紙袋形状の袋に関する物である。
【背景技術】
【０００２】
従来の引き寄せ閉じ袋は、滑穴が傾斜半円形の物、紐の持ち手域をＷにして取手で繋いだ物などがあった。
【特許文献１】特願２００８−０１５９５９号
【特許文献２】特願２００８−０２３６６６号
【発明の開示】
【発明が解決しようとする課題】
【０００３】
従来の物で、滑穴が半円形の物は、滑穴が変型である事から滑穴が歪んで切れ易く、取手で繋いだ物は、取手が部分的な領域なので、掴み難さがあり、側壁を屈折させて開口部を閉じる構造なので、繰り返し使用すると、開口状態が保持され難くなり、本発明では、これらの問題解決を課題とする。
【課題を解決するための手段】
【０００４】
寄り壁の両側へ設けた丸い滑穴から出した紐の架け域は、隣接の屈壁を跨いで対岸の滑穴へ架かり、滑穴を通って袋体の中へ入った紐の内域が寄り穴から外へ出されて外域となり、対面で有する寄り壁と、寄り壁の下辺どうしを繋ぐ底壁とに硬板を重合させる。
【発明の効果】
【０００５】
側壁は紐の引き寄せによって屈折したり変形したりするので負荷を少なくさせる必要があり、滑穴から側方へ出た架け域が側壁を跨いで対岸の滑穴どうしに架かっているので側壁への直接負荷は無く、滑穴の隣へ寄り穴を設けて袋体の外へ紐を出して外域を設けた事で、袋体に収納物があっても紐の外域を掴み易くなり、滑穴と寄り穴とが隣どうしに位置して紐を通している事から、袋体の吊下げ時に紐から受ける負荷を滑穴と寄り穴とに分散でき、紐の外域は長い領域の一本線である事から掴み易くなり、寄り壁と底壁との位置に有している硬板が、角張ったＵ字形状或いはコの字形状になるので、硬板が板バネの役割を果たして寄り壁の上辺どうしを離す力が働き、寄り壁の上辺どうしが離れようとする事で側壁の上辺は張られ、袋体の開口部の開口状態が保持され易くなる。
【発明を実施するための最良の形態】
【０００６】
最良の形態を、図１から図４を参照しながら、以下の実施例で説明する。
【実施例１】
【０００７】
図１は、開口状態要部透視斜視図であり、本件の発明品である本体は、従来の紙袋と同様に使用できる他、スーパーマーケットのレジの横へセットして、精算が済んだ購買品をそのまま本体へ収納するレジバッグとしての使用方法であっても良く、寄り壁７方を前後方向の縦とし、側壁３方を左右方向の横とする事から側とも表示し、透視線は破線で表示し、折線は一点鎖線で表示し、山折谷折で表示する折り曲げ方向は外側からを基準にし、袋体４は天面の開口部５を開口した立方体を含む直方体である事が望ましく、前後に対面して成る対の寄り壁７、左右に対面して成る側壁３、寄り壁７と側壁３との下辺に隣接する矩形（正方形も含む）の底壁８、前記五枚の壁で袋体４を形成し、袋体４の上辺は切りっ放しであっても袋折であっても良く、袋体４の形成方法は限定ではなく、側壁３の底辺と側壁３の中央を天地に縦断する屈線１０とを合着して袋状にしても良いし、従来の紙袋と同じ形成方法であっても良く、図では判り難いのであるが、対面する寄り壁７の各々と底壁８へは硬板９を設けており、寄り壁７と底壁８とを硬い素材で形成して硬板９にして、側壁３を別個の柔らかい素材で形成して繋ぎ合わせても良いのであるが、硬板９を別個にして、所定の面へ重合させる構造の方が望ましく、硬板９の重合面は内外のどちらでも良いのであるが、内面への重合で図示する事にし、硬板９の重合固定構造は、合着無しで紐２を通した事で固定する事もでき、反対に、硬板９の全面を合着して固定しても良いが、合着剤と手間とを多く必要にする事から必要箇所のみを合着しても良く、前記の合着必要箇所としては少なくても寄り壁７の上部領域が挙げられ、合着方法は限定ではないが、接着である事が望ましく、粘着、溶着、場合によっては縫合や嵌合であっても良い。
【０００８】
面対象で有する寄り壁７の上部領域の両側へ滑穴１を設け、滑穴１の隣へ設ける寄り穴６は、滑穴１どうしの間へ設ける事が望ましいのであるが、場合によっては滑穴１の上隣へ設けても良く、滑穴１と寄り穴６との高さ関係は等高であっても良いが、寄り穴６の方を適宜に高くする事で、寄り穴６への負荷を滑穴１へも分散でき、滑穴１と寄り穴６との形状は限定ではないが、円形である事が望ましく、大きさは充分な余裕を持って紐２が難無く通る事が望ましく、紐２の通し方は、側壁３を水平方向へ跨いだ紐２の領域を架け域１１とし、架け域１１の両端を滑穴１へ通して袋体４の内面へ出た領域を内域１２とし、外域１３を有していない内域１２を引き上げても側壁３を屈折させて開口部５を閉じる事はできるが、袋体４の中へ収納物がある場合は内域１２が隠れているので掴み難くなるのであり、内域１２を寄り穴６から外へ出して外域１３を設け、外域１３が紐２の持ち手部分となり、外域１３を引き上げれば架け域１１が短くなって側壁３の屈線１０が屈折して開口部５が閉じる構造ではあるが、輪の形状になっている紐３の固定箇所が無いので、回ってズレてしまい、ズレ防止構造として、側壁３へ止め穴１４設け、架け域１１を繋ぎ止める固定部１５を介して分岐した止め環１６を前記の止め穴１４へ通し、止め環１６による固定構造は背景技術の特願２００８−０１５９５９号でも表示しており、止め穴１４の位置は限定ではないが、滑穴１と等高で側壁３の縦側辺１７と屈線１０との中間地点よりも適宜に屈線１０寄りの位置が機能的に望ましく、側壁３は面対象で有している事から、止め環１６を対面で二箇所設けても良いし、一箇所であっても良く、止め環１６に於いて固定部１５と反対側へ紐２の端を繋ぎ部１８で繋いでも良い。
【０００９】
袋体４の形成方法は限定ではなく、従来の紙袋と同様の形成方法を始め、屈線１０と底側辺１９とを繋ぎ合わせる方法、ポリ製のレジ袋の底と同様の形成方法などであっても良く、袋体４を形成する素材は限定ではなく、紙袋に使用されている適宜に硬い紙が望ましいのであるが、厚紙、段ボール紙、ユポ（商標名）やポリなどのプラスチック、不織布、織り布、保冷シートなどの素材であっても良く、紐２は市販品の物を用いるのであり、アクリル、ポリなどのプラスチック素材、綿、麻などの自然素材などがあり、断面が平たい平紐或いはテープであっても良いが、断面が丸い丸紐の方が望ましく、組み紐であっても、より紐であっても良い。
【００１０】
図２は、硬板分離斜視図であり、袋体４との重合状態で図示した図１では判り難い事から、硬板９のみを別個に図示して説明するのであり、正面の寄り壁７の下辺に延設した底壁８を山折し、底壁８の背辺へ延設した背面の寄り壁７を山折して折り起こし、よって硬板９の全体形状を側方から見た状態では、角張ったＵ字形状或いは開口部を上にしたコ字形状（以降、開口部を上にした、を省略する）を成し、コ字形状の屈折部分が元の平らな状態に戻ろうとする事から硬板９は板バネの働きを成し、硬板９が板バネになる事から寄り壁７の上辺どうしが離れようとする方向に力が働き、寄り壁７の上辺どうしが離れようとするので、図１で示した側壁３の上辺がピンと張って開口部５の開口状態が保持され、張りの補助策として、図１で示した側壁３の上部を屈線１０と直角方向へ折り曲げる構造にしても良い。
【００１１】
硬板９の寄り壁７の縦側辺１７どうしと底壁８の底側辺１９とを膜（紙布ポリなどの総称とする）で塞いで袋体４を形成しても良いが、図１で示した袋体４の中へコ字形状の硬板９を挿入し、寄り壁７と底壁８との全面を合着しても良いし、合着無しであって、穴に通された紐で重合状態を固定しても良く、少なくても寄り壁７の上部領域を合着すれば機能的な問題は生じず、袋体４の折畳みは、底壁８の折り曲げによって行う事が望ましく、底壁８の折り曲げ形状は、底壁８の中央を左右に横断する底折線２０と、底側辺１９の両端から底折線２０へ向けた谷折線でＶ字折線２１を入れる事が望ましく、滑穴１と寄り穴６は、袋体４と重合する形状と位置で設け、硬板９の素材は折り曲げ可能な硬い物であれば限定ではなく、プラスチック、不織布、などでも良いが、厚紙及び段ボール紙が望ましい。
【００１２】
図３は、閉じ過程側上面斜視図であり、紐２の通し構造は前後面では面対象であり、紐２の通し構造を述べるならば、側壁３の側縁でもある縦側辺１７を巻き込んで架かった一方の架け域１１は、一方の滑穴１から入って一方の内域１２に成り、一方の寄り穴６から出て外域１３に成り、他方の寄り穴６から入って他方の内域１２に成り、他方の滑穴１から出て他方の架け域１１になり、他方の架け域１１で紐２の両端を結んで繋ぎ部１８を形成して紐２を輪の形状にし、繋ぎ部１８から食み出る紐２の端領域の長さ加減によって紐２の輪の大きさを加減しても良く、紐２が輪の形状だけだと使用時に回ってズレるので、一方の架け域１１の中央へ固定部１５を設け、固定部１５を介して止め環１６を設け、止め環１６を一方の止め穴１４へ通し、他方の架け域１１に於いても他方の固定部１５を介して他方の止め環１６を設けても良く、固定部１５及び繋ぎ部１８は、別個の具材を用いて固定しても良いが、結び構造である事が望ましく、一方の止め環１６に於いても、繋ぎ部１８が有っても無くても良く、止め環１６を通す止め穴１４は、屈線１０と縦側辺１７との中間領域に位置している事から、屈線１０が屈折するに連れて隣どうしの止め穴１４が近付いて止め環１６は丸くなるので固定部１５は最初の場所に留まり、固定部１５の留まりによって、大きな輪になった紐２がズレて回るのを防止でき、止め穴１４は紐２のズレを防止しているだけなので、袋体４を吊下げる時に紐２から受ける負荷は直接受けない。
【００１３】
底壁８に於いて、屈線１０の下端どうしを連絡して底折線２０を入れ、底側辺１９の両端から底折線２０へ向けた谷折線でＶ字折線２１を入れ、Ｖ字折線２１の屈折角度は直角が望ましく、底折線２０の折り曲げ方向は、Ｖ字折線２１の頂点を境に中央領域は谷折線で、両端領域は山折線にする事が望ましい。
【００１４】
図４は、閉じ状態斜視図であり、紐２の外域１３を引き上げる事で、袋体４の自重と収納物との重さが加わって寄り穴６から紐２が引き出され、外域１３の領域が長くなるに連れて架け域１１の領域は滑穴１へ引き込まれて短くなり、架け域１１が短くなるに連れて縦側辺１７の上部領域どうしは互いに近付くので側壁３の上部は折り込まれ、側壁３の折り込みによって寄り壁７の上辺が互いに寄り添って袋体４の開口部５は閉じ、開口部５が閉じる事で収納物を隠す事ができると同時に、側壁３が折り込まれて外へ折り出る事は無いので、袋体４の中へ積み重ねられた収納物が崩れるのを防止でき、袋体４の吊下げ時に紐２から受ける負荷は、寄り穴６へ大きく掛かるが、寄り穴６に外域１３は固定されておらず、内域１２を経由して滑穴１へも通されており、この通し構造によって紐２から受ける負荷は寄り穴６と滑穴１とへ分配でき、寄り穴６よりも滑穴１を低くする事で、滑穴１への負荷が増し、寄り穴６は外域１３を形成する他に、持ち手となる外域１３の根元を中央へ寄せて持ち易くする役目もあり、寄り壁７の横幅が狭くなるに連れて隣り合う寄り穴６と滑穴１との横幅も狭くなり、最終的には寄り穴６の真下へ滑穴１が位置する事もあり、寄り穴６の真下へ滑穴１が位置すれば、寄り穴６への負荷は少なくなり、架け域１１の両端は寄り壁７の両側に開けられた滑穴１どうしへ架かった状態で取り付けられており、架け域１１は側壁３を跨いでいる事から、袋体４の吊下げによって紐２から受ける負荷は回避されており、側壁３は使用時の曲げ伸ばしによって劣化し易いが、側壁３が劣化しても、吊下げ強度に影響を与える事は無く、袋体４の内部に重合されている硬板９によっても、滑穴１と寄り穴６とは補強されて破れ難くなっており、外域１３の引き上げを解除すれば、硬板９の板バネの働きによって寄り壁７の上辺どうしが離れようとして、開口部５が開口する。
【産業上の利用可能性】
【００１５】
本発明品は、従来の紙袋、レジ用紙袋への使用を目的としているが、布製の鞄にも適応できる。
【図面の簡単な説明】
【００１６】
【図１】開口状態要部透視斜視図（実施例１）
【図２】硬板分離斜視図（実施例１）
【図３】閉じ過程側上面斜視図（実施例１）
【図４】閉じ状態斜視図（実施例１）
【符号の説明】
【００１７】
１  滑穴
２  紐
３  側壁
４  袋体
５  開口部
６  寄り穴
７  寄り壁
８  底壁
９  硬板
【図１】
2009208803.tif 000003
【図２】
2009208803.tif 000004
【図３】
2009208803.tif 000005
【図４】
2009208803.tif 000006